(57)【要約】【目的】液晶ＬＣＤ等の表示画面の画像を拡大して見易い大きさで電子ペーパー等の記録媒体にプリントする。【構成】携帯電話１０の液晶ＬＣＤ２２の表面には結像レンズ４２を着脱可能となっている。このため、液晶ＬＣＤ２２の画像を拡大して光書込み型電子ペーパー１６にプリントできる。【選択図】  図１
2005010655.tif 000002
【特許請求の範囲】
【請求項１】
発光して画像を表示する画像表示手段と、
前記画像表示手段の表面に配設され、記録媒体に前記画像表示手段に表示された画像を結像させる結像手段と、
前記結像手段を前記表示画面の表面から退避可能に連結する連結手段と、
を有することを特徴とする画像表示装置。
【請求項２】
前記結像手段が前記画像表示手段に表示された画像を拡大して前記記録媒体に結像することを特徴とする請求項１に記載の画像表示装置。
【請求項３】
前記画像表示手段は、
前記画像表示手段に表示された画像を前記記録媒体に結像させるときに発光する結像用発光手段を有することを特徴とする請求項１、又は２に記載の画像表示装置。
【請求項４】
前記結像用発光手段が前記画像表示手段に着脱可能とされたことを特徴とする請求項３に記載の画像表示装置。
【請求項５】
前記記録媒体が、電圧を印加され光を照射させることによって潜像が形成される光導電層と、前記光導電層と共に電圧を印加されることによって前記潜像を可視化する表示層と、が積層された媒体であることを特徴とする請求項１乃至４の何れかに記載の画像表示装置。
【請求項６】
前記記録媒体が、書き換えが可能であることを特徴とする請求項５に記載の画像表示装置。
【請求項７】
前記表示層が、コレステリック液晶層であることを特徴とする請求項６に記載の画像表示装置。
【請求項８】
前記表示層が、前記表示層に生じる電界によって帯電されて移動される粒子が封入された電気泳動式表示層であることを特徴とする請求項６に記載の画像表示装置。
【請求項９】
前記記録媒体の電極に接続され、前記記録媒体に電圧を印加する電圧印加手段を有することを特徴とする請求項５乃至７の何れかに記載の画像表示装置。
【請求項１０】
携帯電話としての機能を備えることを特徴とする請求項１乃至９の何れかに記載の画像表示装置。
【請求項１１】
携帯端末としての機能を備えることを特徴とする請求項１乃至９の何れかに記載の画像表示装置。
【請求項１２】
デジタルカメラとしての機能を備えることを特徴とする請求項１乃至９の何れかに記載の画像表示装置。
【発明の詳細な説明】
【０００１】
【発明の属する技術分野】
本発明は、画像を表示する画像表示装置に関する。
【０００２】
【従来の技術】
従来から記録媒体としての感光材料を、携帯電話に設けられた画像表示手段としての液晶画面に対面させ、バックライトから発光され液晶画面を透過した光によって感光材料の感光面を露光し、液晶画面の画像をプリントするプリンタが考案されている（例えば、特許文献１参照）。
【０００３】
しかしながら、従来のプリンタは液晶画面の画像を等倍でプリントするというものだったので、携帯電話やデジタルカメラ等の小さな液晶画面のプリント画像は、画像サイズが小さく、電子メールの文字等が非常に小さくなり見づらいという問題があった。
【０００４】
また、感光材料に液晶画面の画像を拡大して記録するために感光材料と液晶画面との間に距離を置く場合、感光材料と液晶画面との間を遮光する必要がある。このため、装置が大型化し、又はフード等の付属品が必要になるという問題があった。
【０００５】
【特許文献１】
特開２００１−２５３１２３号公報
【０００６】
【発明が解決しようとする課題】
本発明は上記事実を考慮してなされたものであり、携帯電話の液晶画面等の画像表示手段に表示された小さな画像を記録媒体に見やすい大きさでプリントし、且つ、液晶画面等の画像表示手段と記録媒体との間の遮光手段を不要とすることを目的とする。
【０００７】
【課題を解決するための手段】
請求項１に記載の画像表示装置は、発光して画像を表示する画像表示手段と、前記画像表示手段の表面に配設され、記録媒体に前記画像表示手段に表示された画像を結像させる結像手段と、前記結像手段を前記表示画面の表面から退避可能に連結する連結手段と、を有することを特徴とする。
【０００８】
請求項１に記載の画像表示装置では、画像表示手段が発光して画像を表示する。また、結像手段が連結手段によって表面から退避可能に連結されている。このため、結像手段を画像表示手段の表面から退避させて画像表示手段を通常の表示とし、又は結像手段を画像表示手段の表面に配設して画像表示手段に面して置かれ画像表示手段からの発光が照射される記録媒体に画像表示手段の画像を結像することができる。
【０００９】
これによって、凸レンズ等の結像手段の倍率や結像手段と記録媒体の距離によっては画像表示手段の画像を記録媒体に拡大して結像できる。従って、携帯電話に設けられた液晶画面等の画像表示手段に表示された電子メールの文字等を見やすい大きさで記録媒体に記録できる。
【００１０】
請求項２に記載の画像表示装置は、請求項１に記載の画像表示装置であって、前記結像手段が前記画像表示手段に表示された画像を拡大して前記記録媒体に結像することを特徴とする。
【００１１】
請求項２に記載の画像表示装置では、結像手段によって画像表示手段の画像が拡大して記録媒体に結像される。このため、大きなプリント画像を得るために画像表示手段の画像サイズを大きくする必要がないので、画像表示装置の携帯性が損なわれない。
【００１２】
請求項３に記載の画像表示装置は、請求項１、又は２に記載の画像表示装置であって、前記画像表示手段は、前記画像表示手段に表示された画像を前記記録媒体に結像するときに発光する結像用発光手段を有することを特徴とする。
【００１３】
請求項３に記載の画像表示装置では、結像用発光手段が発光されて画像表示手段に表示された画像が記録媒体に結像される。このように、結像専用の発光手段を設けることによって、画像表示手段の通常の表示時の光量では不十分であるような記録媒体にも、適当な明るさの画像を結像できる。また、画像表示手段の光量調整が不要となる。
【００１４】
請求項４に記載の画像表示装置は、請求項３に記載の画像表示装置であって、前記補助光発光手段が前記画像表示手段に着脱可能とされたことを特徴とする。
【００１５】
請求項４に記載の画像表示装置では、結像用発光手段が画像表示手段に着脱可能とされている。このため、画像表示手段がビデオカメラの可動式画像モニタのような形態であれば、画像表示装置には画像表示手段を収納するスペースのみ設け、結像用発光手段の収納スペースを設ける必要がない。従って、画像表示装置を小型化できる。
【００１６】
請求項５に記載の画像表示装置は、請求項１乃至４の何れかに記載の画像表示装置であって、前記記録媒体が、電圧を印加され光を照射させることによって潜像が形成される光導電層と、前記光導電層と共に電圧を印加されることによって前記潜像を可視化する表示層と、が積層された媒体であることを特徴とする。
【００１７】
請求項５に記載の画像表示装置では、記録媒体の光導電層と表示層に共に電圧が印加され、光導電層に光が照射されると、光導電層に潜像が形成され、表示層によってこの潜像が可視化される。
【００１８】
ここで、光導電層は、電圧を印加し、光を照射することによって何度でも書き換えることができ、表示層は光導電層が書き換えられる度に光導電層の潜像を可視化する。従って、画像表示手段の画像がピンぼけして記録媒体に結像されたとしても、何度でも結像し直すことができる。
【００１９】
ここで、画像表示手段の画像を記録媒体に拡大して記録するためには、画像表示手段を記録媒体から離して記録媒体に光を照射させなければならず、感光材料に画像を記録する場合は、画像表示手段と記録媒体との間を遮光しなければならない。
【００２０】
しかし、この記録媒体は、電圧を印加してさえいなければ光を照射しても画像が記録されない遮光が不要な媒体である。このため、画像表示手段と記録媒体との間を遮光するためのフード等を使うことなく、画像表示手段を記録媒体から離して画像を記録できる。
【００２１】
請求項６に記載の画像表示装置は、請求項５に記載の画像表示装置であって、前記記録媒体が、書き換えが可能であることを特徴とする。
【００２２】
請求項６に記載の画像表示装置では、記録媒体に光パターンを照射し、電圧を印加することによって何度でも書き換えが可能である。このため、環境負荷が低いという利点がある。
【００２３】
請求項７に記載の画像表示装置は、請求項６に記載の画像表示装置であって、前記表示層が、コレステリック液晶層であることを特徴とする。
【００２４】
請求項７に記載の画像表示装置では、表示層がコレステリック液晶層である記録媒体に光パターンを照射し、電圧を印加する。コレステリック液晶層は、無電源で画像を維持できるので、記録媒体による表示時に、画像表示装置によって電源を供給する必要がない。
【００２５】
請求項８に記載の画像表示装置は、請求項６に記載の画像表示装置であって、前記表示層が、前記表示層に生じる電界によって帯電されて移動される粒子が封入された電気泳動式表示層であることを特徴とする。
【００２６】
請求項８に記載の画像表示装置では、記録媒体に光パターンが照射され、電圧が印加されると、表示層に封入された粒子が、表示層に生じた電界によって帯電されて移動され、光導電層に形成された潜像を可視化させる。
【００２７】
請求項９に記載の画像表示装置は、請求項５乃至８の何れかに記載の画像表示装置であって、前記記録媒体の電極に接続され、前記記録媒体に電圧を印加する電圧印加手段を有することを特徴とする。
【００２８】
請求項９に記載の画像表示装置では、画像表示装置に設けられた電圧印加手段が、光導電層と表示層が積層された記録媒体の電極に接続され、記録媒体に電圧を印加する。これによって、記録媒体に電圧を印加するための外部装置を画像表示装置とは別に持ち歩く必要がなく、携帯性が高い。
【００２９】
請求項１０に記載の画像表示装置は、請求項１乃至９の何れかに記載の前記画像表示装置であって、携帯電話としての機能を備えることを特徴とする。
【００３０】
請求項１０に記載の携帯電話としての機能を備える画像表示装置では、液晶ＬＣＤや有機ＥＬディスプレイ等によって表示される電子メール等の画像や情報を記録媒体にピンぼけすることなくプリントできる。
【００３１】
請求項１１に記載の画像表示装置は、請求項１乃至９の何れかに記載の前記画像表示装置であって、携帯端末としての機能を備えることを特徴とする。
【００３２】
請求項１１に記載のＰＤＡ等の携帯端末としての機能を備える画像表示装置では、液晶ＬＣＤや有機ＥＬディスプレイ等によって表示される画像や情報を記録媒体にピンぼけすることなくプリントできる。
【００３３】
請求項１２に記載の画像表示装置は、請求項１乃至９の何れかに記載の前記画像表示装置であって、デジタルカメラとしての機能を備えるを備えることを特徴とする。
【００３４】
請求項１２に記載のデジタルカメラとしての機能を備える画像表示装置では、液晶ＬＣＤや有機ＥＬディスプレイ等によって表示される再生画像等を記録媒体にピンぼけすることなくプリントできる。
【００３５】
【発明の実施の形態】
以下に図面を参照しながら第１実施形態について説明する。
【００３６】
図１に示すように、画像表示装置としての携帯電話１０は、画像表示部１２と、画像表示部１２が開閉可能に連結された本体部１４とで構成されており、画像表示部１２の画像表示手段としての液晶ＬＣＤユニット２１に面して配置された記録媒体としての光書込み型電子ペーパー（以下、電子ペーパーという）１６へ液晶ＬＣＤユニット２１に表示された画像の光書込みを行う。
【００３７】
画像表示部１２のケーシング１８の表示面１８Ａの中央部には、保護パネル２０が設けられ、ケーシング１８には液晶ＬＣＤユニット２１が収納されている。液晶ＬＣＤユニット２１は、保護パネル１８に面した透過型の液晶ＬＣＤ２２、液晶ＬＣＤ２２の背面に面したバックライトユニット２４とで構成されている。
【００３８】
バックライトユニット２４は、冷陰極管２６と、液晶ＬＣＤ２２の裏面に面して配設され、端部に冷陰極管２６を収納するリフレクタ２８とで構成されている。冷陰極管２６から発せられた光はリフレクタ２８で液晶ＬＣＤ２２の裏面へ反射され、液晶ＬＣＤ２２を透過する。これによって、液晶ＬＣＤ２２に表示された画像が可視化される。
【００３９】
画像表示部１２の側面には、後述する電圧印加手段３０（図６参照）に接続されたコネクタ３２が設けられ、電子ペーパー１６の耳部１６Ｆには後述するスルーホール端子３６に接続されたコネクタ３４が設けられている。このコネクタ３２とコネクタ３４がフレキシブルハーネス３８によって接続されることによって電圧印加手段３０と電子ペーパー１６とが電気的に接続される。
【００４０】
そして、本体部１４の側面にはプリントボタン４０が設けられており、このプリントボタン４０が押されると、ＣＰＵ３１（図６参照）が電圧印加手段３０によって電子ペーパー１６に電圧パルスを印加させる。
【００４１】
この電圧パルスは、バッテリーから供給されるＤＣ電源からスイッチング回路によって生成される。このようなパルス生成には、例えば、ＲＯＭのような波形記憶手段とＤＡ変換手段と制御手段とを有し、電圧印加時にＲＯＭから読み出した波形をＤＡ変換して供給する回路を用いることができる。また、パルス発生回路のような電気回路的な方式でパルスを発生させる手段等を用いることができる。
【００４２】
また、保護パネル２０に面して結像レンズ（凸レンズ）４２が配設されており、液晶ＬＣＤ２２に表示された画像は、結像レンズ４２によって拡大されて電子ペーパー１６に結像される。従って、液晶ＬＣＤ２２に表示された電子メールの小さな文字等を電子ペーパー１６に見やすい大きさで複写して見ることができる。
【００４３】
図２に示すように、結像レンズ４２は、枠体４４によって周縁部を囲まれている。この枠体４４の４隅にはフック４６が形成され、ケーシング１８の側面にはフック４６が係止される４個の係止部１８Ｂが形成されている。このフック４６と係止部１８Ｂによって、枠体４４がケーシング１８に着脱可能となっており、結像レンズ４２が液晶ＬＣＤユニット２１の表面から退避可能になっている。
【００４４】
このため、結像レンズ４２を液晶ＬＣＤユニット２１の表面から退避させて液晶ＬＣＤユニット２１を通常の表示状態とし、又は結像レンズ４２を液晶ＬＣＤユニット２１の表面に配設して、液晶ＬＣＤユニット２１に面して配置され液晶ＬＣＤユニット２１からの発光が照射される電子ペーパー１６に液晶ＬＣＤユニット２１の画像を拡大させて結像することができる。
【００４５】
これによって、大きなプリント画像を得るために、液晶ＬＣＤ２２の画像サイズを大きくする必要がないので、携帯電話１０が大型化することがない。
【００４６】
なお、結像レンズ４２は、図３に示すように、ヒンジ４３によってケーシング１８に連結することによって、液晶ＬＣＤユニット２１の表面に配設され、又は液晶ＬＣＤユニット２１の表面から退避される可倒式としても良い。
【００４７】
ここで、本実施形態で用いられる電子ペーパ１６の一例を説明する。
【００４８】
図４に示すように、図中矢印Ａ方向にバックライトユニット２４から発せられた光を照射される電子ペーパー１６は、２枚の透明なフィルム１６Ａの間に画像形成層１６´等が積層されたフレキシブルな記録媒体である。なお、矢印Ａ方向の光が入射する面をＡ面、Ａ面の裏面をＢ面と呼ぶ。
【００４９】
画像形成層１６´は、表示層としてのコレステリック液晶層１６Ｂと光導電層（光感光層）１６Ｃとで構成されている。２枚のフィルム１６Ａの内面には共に透明電極膜（ＩＴＯ膜）１６Ｄが蒸着やスパッタリング等によって形成されている。ＡＢ両面のＩＴＯ膜１６Ｄの間には、Ａ面側から順に、光導電層１６Ｃ、遮光層（光吸収層）１６Ｅ、コレステリック液晶層１６Ｂが積層されている。
【００５０】
光導電層１６Ｃは、ベンズイミダールペリレン（ＢＺＰ）をＩＴＯ膜１６Ｄに蒸着することによって形成された電荷発生層と、ビフェニルージアミン系材７．２％、ポリカーボネートビスフェノールＺ（ポリ（４、４´−シクロヘキシリデンジフェニレンカーボネート））１０．８％、モノクロロベンゼン８２％の溶液をさらにモノクロロベンゼンにより２倍に希釈し、スピンコートによって電荷発生層に塗布することによって形成された電荷輸送層と、この電荷輸送層に蒸着によって形成された上記電荷発生層と、で構成されている。
【００５１】
また、遮光層１６Ｅは、黒色樹脂ＢＫＲ−１０５（日本化薬社製）をスピンコート塗布することによって形成されている。
【００５２】
また、コレステリック液晶層１６Ｂは、遮光層１６ＥとＢ面側のＩＴＯ膜１６Ｄとの間に空セルを形成し、この空セルに材料を注入し、注入された表示材料をＵＶ光の照射によってＵＶ重合させることによって形成されている。
【００５３】
表示材料は、正の誘電率異方性を有するネマチック液晶Ｅ１８６（メルク社製）を７２．３ｗｔ％、右旋性のカイラル剤ＣＢ１５（メルク社製）を１３．９ｗｔ％及び右旋性のカイラル剤ＣＥ２（メルク社製）を１３．９ｗｔ％を混合したものに、更にチオール系ＵＶ重合高分子前駆体ＮＯＡ６５（ノーランド社製）を１５ｗｔ％添加して調整している。上記混合物はグリーンの色光を選択反射するように液晶とカイラル剤の割合が選択されている。
【００５４】
また、電子ペーパー１６の１組の対辺には、樹脂がコ字状にコーティングされて耳部１６Ｆが形成されている。そして、耳部１６ＦのＡ面には、２層のＩＴＯ膜１６Ｄを電圧印加手段３０に導通させるためのスルーホール端子３６が、２層のＩＴＯ膜１６Ｄからそれぞれ延出している。そして、耳部１６ＦのＡ面には、スルーホール端子３６に接続されるコネクタ３４が設けられている。
【００５５】
このコネクタ３４と携帯電話１０のコネクタ３２がフレキシブルハーネス３８によって接続され、ＡＢ両面のＩＴＯ膜１６Ｄの間に電圧印加手段３０によって電圧が印加されると共に、バックライトユニット２４から発せられて液晶ＬＣＤ２２を透過した光がＡ面側から照射されると、光導電層１６Ｃに液晶ＬＣＤ２２からの露光パターンに応じたインピーダンス変化が誘起され、潜像が形成される。そして、このインピーダンス変化によってコレステリック液晶層１６Ｂに選択的に電圧が印加されている状態となる。
【００５６】
この状態で、電子ペーパー１６への電圧の印加が解除されると、コレステリック液晶層１６Ｂは露光パターンに従って緑色を示す選択波長反射を示すプレーナ状態、及び光透過状態による背景色（ここでは白色）を示すフォーカルコニック状態を取る。これによって、光導電層１６Ｃに形成された潜像がＢ面側に外光Ｌの反射画像として表示される。即ち、液晶ＬＣＤ２２に表示された画像と同じ画像が電子ペーパー１６に複写記録される。
【００５７】
画像が記録された電子ペーパー１６は、メモリ性を有し、無電源で表示画像を維持できる。また、電子ペーパー１６は、書換えが可能、即ち再利用が可能であるため、液晶ＬＣＤユニット２１の画像がピンぼけして電子ペーパー１６に複写されたとしても、何度でも複写し直すことができる。また、環境負荷が低いという利点がある。
【００５８】
ここで、液晶ＬＣＤ２２の画像を記録媒体に拡大して記録するためには、液晶ＬＣＤ２２を記録媒体から離して記録媒体に光を照射させなければならず、記録媒体が感光材料の場合は、液晶ＬＣＤ２２と感光材料との間を遮光しなければならない。
【００５９】
しかし、電子ペーパー１６は、電圧を印加してさえいなければ光を照射しても画像が記録されない遮光が不要な記録媒体である。このため、液晶ＬＣＤ２２と電子ペーパー１６との間を遮光するためのフード等を使うことなく、液晶ＬＣＤ２２を電子ペーパー１６から離して画像を記録できる。
【００６０】
なお、電子ペーパー１６は、Ｂ面側から画像を表示する構成としたが、図５に示すように、Ａ面側から順に、コレステリック液晶層１６Ｂ、光導電層１６Ｃ、遮光層１６Ｅと積層してＡ面側から画像を表示するような構成としても良い。ただし、この場合、液晶ＬＣＤ２２の画像が反転して複写されるので、光書込み時には、液晶ＬＣＤ２２の画像を反転させる必要がある。
【００６１】
次に、第２実施形態について説明する。なお、第１実施形態と同一の構成には同一の符号を付し、説明は省略する。
【００６２】
図７に示すように、携帯電話５０には、液晶ＬＣＤ２２とバックライトユニット５２とで構成される液晶ＬＣＤユニット５１が備えられている。バックライトユニット５２には、液晶ＬＣＤ２２に画像を表示している時には常に発光されている第１冷陰極管５４と、第２冷陰極管５６とが並列されている。
【００６３】
ここで、電子ペーパー１６に画像を複写する時は、通常の表示時のバックライトユニット５２の光量では不十分であるため、第２冷陰極管５６が、液晶ＬＣＤ２２に表示された画像を電子ペーパー１６に複写する時のみ補助光を発光する。これによって、通常の表示時よりもバックライトユニット５２の光量が多くなり、電子ペーパー１６に鮮明な画像が複写される。
【００６４】
また、結像用の光源である第２冷陰極管５６を備えたことによって、液晶ＬＣＤ２２の画像を複写する時に第１冷陰極管５４の光量を変化させる必要がないので、制御が容易である。
【００６５】
次に、第３の実施形態について説明する。なお、第１、第２実施形態と同一の構成には同一の符号を付し、説明は省略する。
【００６６】
図８に示すように、デジタルカメラ６０には、画像表示手段としての液晶ＬＣＤユニット６２が設けられている。
【００６７】
図９に示すように、液晶ＬＣＤユニット６２は、液晶ＬＣＤ６４とバックライトユニット２４とで構成されている。液晶ＬＣＤ６２は、薄型のケーシング６６に収納され、両面をケーシング６６に設けられた透明な保護パネル６８によって保護されている。また、ケーシング６６は、デジタルカメラ６０のケーシング７０の後面７０Ａに形成された凹状の収納部７０Ｂにヒンジ７２によって回動可能に連結されている。
【００６８】
収納部７０Ｂの底面には、透明な保護パネル７４が配設されている。そして、この保護パネル７４の内側に、バックライトユニット２４が保護パネル７４に面して配設されている。
【００６９】
図１０に示すように、デジタルカメラ６０には、結像レンズ４２や電圧印加手段３０（図１３参照）等を備えるデジタルカメラ６０とは別体の結像装置７８が設けられている。結像装置７８のケーシング８０には、液晶ＬＣＤ６２のケーシング６６を収納する収納部８０Ａが形成されており、図１１に示すように、結像装置７８はケーシング６６に装着される。
【００７０】
図１１、図１２に示すように、収納部８０Ａに面した第１ケーシング８０Ｂには結像レンズ４２が設けられ、第１ケーシング８０Ｂと向い合う第２ケーシング８０Ｃにはバックライトユニット７６が設けられている。
【００７１】
また、第２ケーシング８０Ｃには、電圧印加手段３０（図１３参照）が設けられ、第２ケーシング８０Ｃの側面には、電圧印加手段３０に接続されたコネクタ８２、及びプリントボタン８４が設けられている。
【００７２】
結像装置７８が、ケーシング６６に装着されると、バックライトユニット７６が液晶ＬＣＤ２２の裏面に面し、結像レンズ４２が液晶ＬＣＤ２２の表面に面する。バックライトユニット７６は、冷陰極管７７と、液晶ＬＣＤ２２の裏面に面して配設され、端部に冷陰極管７７を収納するリフレクタ７９とで構成されている。冷陰極管７７は、デジタルカメラ６０に設けられた冷陰極管２６よりも発光量が多くなっている。
【００７３】
そして、コネクタ８２と電子ペーパー１６のコネクタ３４がフレキシブルハーネス３８によって接続され、プリントボタン８４が押されると、ＣＰＵ８３（図１３参照）が、冷陰極管７７を発光させ、液晶ＬＣＤ２２の通常の表示時よりも強い光を電子ペーパー１６に照射させると共に、電圧印加手段３０によって電子ペーパー１６に電圧を印加させる。これによって、液晶ＬＣＤ６４の画像が結像レンズ４２によって拡大されて電子ペーパー１６に複写される。
【００７４】
このように、結像用の光源であるバックライトユニット７６、及び電圧印加手段３０をデジタルカメラ６０とは別体の装置に備えたので、これらの収納スペースを削減でき、また結像するための制御機能をデジタルカメラ６０に設ける必要がなくなる。
【００７５】
なお、第１乃至第３実施形態では、携帯電話、デジタルカメラを例に取って本発明の画像表示装置を説明したが、これに限らず図１４に示すように、携帯端末としてのＰＤＡ９０にも本発明を適用可能である。
【００７６】
また、第１乃至第３実施形態では、画像表示手段を、透過型液晶ＬＣＤを例に取って説明したが、これに限らず、反射型液晶ＬＣＤ、有機ＥＬディスプレイ等、他の画像表示手段にも適用可能である。
【００７７】
さらに、第１、第２実施形態では、記録媒体をコレステリック液晶層を表示層とする光書き込み型電子ペーパーを例に取って説明したが、これに限らず、インスタントフィルムや図１５に示すように、電気泳動方式表示層１７Ｂを備える電子ペーパー１７等、他の記録媒体も適用可能である。
【００７８】
この電子ペーパー１７は、電気泳動式表示層１７Ｂが多数の単位セル１７Ｂ´で構成されており、この単位セル１７Ｂ´には、液体、又は気体、及び白色粒子１９、黒色粒子２３が封入されている。光パターンが照射されると共に、一対のＩＴＯ膜１７Ｄ間に電圧が印加されると、光導電層１７Ｃに静電潜像が形成される。この時、単位セル１７Ｂ´内に発生した電界作用によって、単位セル１７Ｂ´に封入された白色粒子１９が負に帯電され、黒色粒子２３が正に帯電される。そして、白色粒子１９、及び黒色粒子２３が、背面側、又は表示側に吸引される。これによって、光導電層１７Ｃに形成された静電潜像が可視化される。
【００７９】
【発明の効果】
本発明は上記構成にしたので、携帯電話の液晶画面等の画像表示手段に表示された小さな画像を記録媒体に見やすい大きさでプリントし、且つ、液晶画面等の画像表示手段と記録媒体との間の遮光手段を不要とすることが可能となる。
【図面の簡単な説明】
【図１】第１実施形態の携帯電話と携帯電話の液晶ＬＣＤの画像を複写される電子ペーパーを示す断面図である。
【図２】第１実施形態の携帯電話を示す斜視図である。
【図３】第１実施形態の携帯電話を示す斜視図である。
【図４】第１実施形態の携帯電話の液晶ＬＣＤの画像を複写される電子ペーパーを示す断面図である。
【図５】第１実施形態の携帯電話の液晶ＬＣＤの画像を複写される電子ペーパーを示す断面図である。
【図６】第１実施形態の携帯電話の概略構成図である。
【図７】第２実施形態の携帯電話と携帯電話の液晶ＬＣＤの画像を複写される電子ペーパーを示す断面図である。
【図８】第３実施形態のデジタルカメラを示す斜視図である。
【図９】第３実施形態のデジタルカメラを示す断面図である。
【図１０】第３実施形態のデジタルカメラとデジタルカメラの液晶ＬＣＤの画像を複写させる結像装置を示す斜視図である。
【図１１】第３実施形態のデジタルカメラ、デジタルカメラの液晶ＬＣＤの画像を複写させる結像装置、及び電子ペーパーを示す断面図である。
【図１２】第３実施形態のデジタルカメラとデジタルカメラの液晶ＬＣＤの画像を複写させる結像装置、及び電子ペーパーを示す斜視図である。
【図１３】第３実施形態の結像装置の概略構成図である。
【図１４】本発明を適用したＰＤＡを示す斜視図である。
【図１５】電子ペーパーの変形例を示す断面図である。
【符号の説明】
１０    携帯電話（画像表示装置）
１６    電子ペーパー（記録媒体）
１６Ｂ  コレステリック液晶層（表示層）
１６Ｃ  光導電層
１６Ｄ  透明電極層（電極）
１７    電子ペーパー（記録媒体）
１７Ｂ  電気泳動式表示層（記録媒体）
１７Ｃ  光導電層
１７Ｄ  透明電極層（電極）
１８Ｂ  係止部（連結手段）
２１    液晶ＬＣＤユニット（画像表示手段）
３０    電圧印加手段
４２    結像レンズ（結像手段）
４３    ヒンジ（連結手段）
４６    フック（連結手段）
５０    携帯電話（画像表示装置）
５１    液晶ＬＣＤユニット（画像表示手段）
５６    第２冷陰極管（結像用発光手段）
６０    デジタルカメラ（画像表示装置）
６２    液晶ＬＣＤユニット（画像表示手段）
７７    冷陰極管（結像用発光手段）
８０    ケーシング（連結手段）
９０    ＰＤＡ（画像表示装置）
９２    液晶ＬＣＤユニット（画像表示手段）
【図１】
2005010655.tif 000003
【図２】
2005010655.tif 000004
【図３】
2005010655.tif 000005
【図４】
2005010655.tif 000006
【図５】
2005010655.tif 000007
【図６】
2005010655.tif 000008
【図７】
2005010655.tif 000009
【図８】
2005010655.tif 000010
【図９】
2005010655.tif 000011
【図１０】
2005010655.tif 000012
【図１１】
2005010655.tif 000013
【図１２】
2005010655.tif 000014
【図１３】
2005010655.tif 000015
【図１４】
2005010655.tif 000016
【図１５】
2005010655.tif 000017